Podtech/llm-jp-corpus-v4-ja_patent huggingface dataset:
(57)【要約】【課題】手提げ袋や衣類の収納袋の底部に芯材として使用し、底部の安定と持ち易さを図り折り畳み収納ができるようにしたプラスチック板状部材が連結した折り畳み用芯材を提供する。【解決手段】矩形のプラスチック板状部材が折り曲げ自在な弾性特性を有する部材によって連結し一体に形成して折り畳めるようにした折り畳み用芯材。【選択図】図１
2011152383.tif 000002
【特許請求の範囲】
【請求項１】
布類に接着或いは縫製して使用する芯材であって、平面状の矩形のプラスチック板状部材を折り曲げ自在な弾性特性を有する部材で連結し一体に構成していることを特徴とする折り畳み用芯材。
【請求項２】
前記折り曲げ自在な弾性特性を有する部材とは、超弾性合金部材或いは形状記憶合金ワイヤー等の弾性部材であることを特徴とする請求項１に記載の折り畳み用芯材。
【発明の詳細な説明】
【技術分野】
【０００１】  本発明は、主に手提げ袋や衣類の収納袋等袋体の底板に芯材として使用し、物を入れ易く持ちやすく折り畳みしやすくするための折り畳み用芯材に関する。
【背景技術】
【０００２】  買い物袋や衣類の収納袋は、ビニールやナイロン、不織布等柔らかい布で構成され折り畳みし易いように底板の無いものが多かった。その為物を入れた時に底部が撓むために持ちにくいなどの欠点があった。【０００３】  上記のような問題点を解決するために手提げ袋の底板が折り畳めるように二つに分断して縫製したものはあるが芯材が柔らかく又全体が一体になっていないために安定感がなく物を入れたときの撓みの解消には不満があった。
【発明の概要】
【発明が解決しようとする課題】
【０００４】  本発明は、手提げ袋や衣類の収納袋等の布類に接着或いは縫製して使用する芯材であって、平面状の矩形のプラスチック板状部材を折り曲げ自在な弾性特性を有する部材で連結し一体に構成して該プラスチック板状部材が折り曲げられるようにすることで前述の問題点を解決しようとするものである。【０００５】  本発明の折り畳み用芯材は、シート状の布類に芯材として使用し、間仕切り板として利用することが出来る折り畳み用芯材であって、折り畳むサイズに均等或いは適宜分割されたプラスチック板状部材が、折り曲げ自在な弾性特性を有する部材によって連結し一体に構成され、強度の確保と折り畳み収納がし易くしかも連結部の弾性部材の特性により使用時には一瞬に復元できる様にすることを目的とする。
【課題を解決するための手段】
【０００６】  本発明は、袋体或いはシート状布類の底部や側面に使用し布類に接着或いは布に縫製して使用する芯材であって、平面状の矩形のプラスチック板状部材を超弾性合金ワイヤー或いは形状記憶合金ワイヤーなど弾性特性を有する部材で連結し一体に構成し、該プラスチック板状部材を折り畳めるようにし、取り出して使用する時は瞬時に復元することが出来るようにして問題点を解決している。
【発明の効果】
【０００７】  本発明によれば、分割して折り畳むのに適したビニールやナイロン等の薄く扱いにくい袋体の底部や部分箇所の芯材として使用することで物を入れ易く持ち運びしやすくすることができ、袋体の底部の芯材としての使用だけでなく折り畳み用間仕切などの用途に使用することができる。
たとえば、アウトドアや緊急避難時用にプライバシー確保などの間仕切り用の芯材として使用することもできる。
また、本発明の芯材の連結部をワイヤー形状にすれば連結部のミシン縫製が可能になるので手芸材料として使用することができるので、本発明を手芸用の材料品として手作り用の手提げ袋用芯材として提供することができる。
【図面の簡単な説明】
【０００８】
【図１】  本発明を手提げ袋に使用した時の構成と部分斜視図
【図２】  本発明を衣類収納袋に使用した時の構成と部分斜視図
【発明を実施するための形態】
【０００９】  本発明の実施形態について具体的な詳細について説明する。
【００１０】  図１は本発明を手提げ袋の底部に芯材として二個を連結構成として使用した場合の使用例である。本発明を折り畳んで芯として用いることで手提げ袋の収納時のストレスが無くなる。
【００１１】  図２は本発明を衣類などの収納袋の底部に使用した場合の本発明の使用例である。プラスチックの板状部材の分割数は折り畳み収納ができるサイズとしその個数は問わないものとする。
【符号の説明】
【００１２】  １  折り畳み用芯材
２  プラスチック板状部材
３  弾性連結部材
Ａ  手提げ袋
Ｂ  収納袋
【図１】
2011152383.tif 000003
【図２】
2011152383.tif 000004
(57)【要約】【課題】落ちにくく、汚れにくく、デザイン性に優れた箸置きを提供する。【解決手段】ハート型や花など色々な外形で陶器などでできた箸置き本体（１）に貫通穴（２）を設け貫通穴（２）の入り口部に平坦なガイド部（３）を設ける。【選択図】図１
2011152381.tif 000002
【特許請求の範囲】
【請求項１】
ハート型や花など色々な外形で陶器などでできた箸置き本体（１）に貫通穴（２）を設け貫通穴（２）の入り口部に平坦なガイド部（３）を設ける。
以上の構成の箸置き。
【発明の詳細な説明】
【技術分野】
【０００１】この発明は、通常身近に用いる箸置きに関するものである。
【背景技術】
【０００２】従来、箸置きは食べ物を摘む側の箸の先端側を板状やリング状、箱状のものを持ちい下から支えることによりを先端を浮かせるものや箱型のもので箸の中心部を支えることにより箸全体を浮かせるものがあった。
【発明の開示】
【発明が解決しようとする課題】
【０００３】そのためには次のような問題が有った。
従来の箸置きは小さく、あまり目立つものではなく、食事中、箸は茶碗やお椀などの中程に無造作に渡して使用されることが多く、箸置きはそれほど意識されるものでは無かった。
また先端を浮かせるタイプのものは食事により先端が汚れた場合汚れた箸を箸置きに置くことがためらわれたり、汚れの付着した部位を避けて箸置きに置く煩わしさがあり、先端の跳ね上がりが大きいために引っかけやすく落ちやすかった。また中程を浮かせるタイプのものは箸を取り上げる際に箸の下に部材があるために掴みにくく、箸を引っかけて落とすことがあった。また左右の二点を支えるタイプも落ちやすく、意識して箸を取り上げたり置いたりする必要があり、また形状が長くなった。
【課題を解決するための手段】
【０００４】手で把持する箸の後ろ側を支える構造とし、概略平たい筒状で入り口がわに導入のための平坦部を設けた形態とした。
【発明の効果】
【０００５】筒の中で箸の後ろを支える構造のために箸の先端から中程全域に障害物がないためにとりだしやすく、また汚れることがないため洗う必要がほとんどない。【０００６】ガイドとなる平坦部があるため箸を置く際に意識せずに容易に筒の中に挿入できる。
挿入の際にも箸の汚れを気にする必要がない。【０００７】重く大きな箸の後ろが筒のなかで固定されているためつまみ部がなにかにふれても箸はばらつきにくく、また落ちにくい。【０００８】筒状でガイド部があることが基本的な要素であるため形状が自由でデザイン性が高い。【０００９】箸置きの重さが不足し、箸が重い場合も箸置きの筒のなかの位置を変えるだけで二カ所ある支点の位置を重心側に移動できるために対応が容易である。【００１０】箸置きの位置を逆に置くことにより、従来と同じく箸のつまみ部側を下から支えることができるので便利であり、ガイド部にある左右の壁に止められるため落ちにくい。
【発明を実施するための最良の形態】
【０００１１】以下に本発明の実施の形態を図１、図２を用いて説明する。
（い）ハート型や花など色々な外形で陶器などでできた箸置き本体（１）に貫通穴（２）を設け貫通穴（２）の入り口部に平坦なガイド部（３）を設ける。
本案は以上の構成で、本案を使用の際は、箸の後端（５）をガイド部（３）および奥の貫通穴（２）を貫通させて設置する。箸（４）を取り出す際は片方の手で箸（４）の中程を掴み、引き出し、もう一つの手で箸（４）の後ろ側をつかみ通常の箸（４）として利用する。箸（４）を戻す時の手の使い方は逆の動きとなる。この際本体（１）やガイド部（３）には色々はデザインや絵や文様を施してもよい。またおもりや滑り止めさらには重ねて収納するための重ね合わせ用突起（６）を本体（１）に取り付けてもよい。
【図面の簡単な説明】
【００１２】
【図１】本発明の斜視図である。
【図２】本発明の重ね合わせ機能を兼用したデザインの案の斜視図である。
【図３】本発明を従来のように用いた場合の斜視図である。
【符号の説明】
【００１２】１．本体
２．貫通穴
３．ガイド部
４．箸
５．箸の後端
６．重ね合わせ用突起
【図１】
2011152381.tif 000003
【図２】
2011152381.tif 000004
【図３】
2011152381.tif 000005
(57)【要約】      （修正有）【課題】生理用ナプキンの経血が、漏れても防げるように生理用ナプキンの外側に包装用個別ラップを設けたシート付生理用ナプキンを提供する。【解決手段】生理用ナプキン１の外側に包装用個別ラップ２を設けたシート付生理用ナプキンを特徴とする。生理用ナプキン１の外側と個別ラップ２が一体となっているので、例え経血が多量になり、ナプキン１から漏れた時でも、個別ラップ２が、そのままシートの役割をする事で、下着や服を汚す事が防げる。包装用の個別ラップ一体型なので、装着も楽に出来て使用後も手を汚さずに始末できる。【選択図】図１
2011152387.tif 000002
【特許請求の範囲】
【請求項１】
生理用ナプキン（１）の外側に包装用個別ラップ（２）を設けたシート付生理用ナプキン。
【発明の詳細な説明】
【技術分野】
【０００１】この発明は、生理用ナプキンの外側に、包装用個別ラップを設けたシート付生理用ナプキンに関するものである。
【背景技術】
【０００２】従来、包装用個別ラップと生理用ナプキンは別々になっていた。
【発明の概要】
【発明が解決しようとする課題】
【０００３】これは次の様な欠点があった。
（イ）従来の生理用ナプキンでは、ナプキン本体の性能が改良されても、経血漏れが不完全で防ぎきれずに、下着やズボンまで汚れて困る女性が多かった。
（ロ）個別ラップは、経血を防ぎナプキンを捨てる時に用いられる優れた材質でできているにも関わらず、有効に活用されていなかった。
本発明は、以上のような欠点をなくす為になされたものである。
【課題を解決するための手段】
【０００４】生理用ナプキン（１）の外側に包装用個別ラップ（２）を設ける。
本発明は、以上の構成によりなるシート付生理用ナプキンである。
【発明の効果】
【０００５】生理用ナプキンの外側と個別ラップが一体となっているので、例え経血が多量になり、ナプキンから漏れた時でも、個別ラップが、そのままシートの役割をする事で、下着や服を汚す事が防げる。包装用の個別ラップ一体型なので、装着も楽に出来て使用後も手を汚さずに始末できる。
【図面の簡単な説明】
【０００６】
【図１】  本発明の斜視図である。
【図２】  本発明の断面図である。
【発明を実施するための形態】
【０００７】以下、本発明を実施するための形態について説明する。
生理用ナプキン（１）の外側に経血を浸透させない材質の個別ラップ（２）を接着させる。
本発明は、以上のような構造である。
これを使用する時は、個別ラップに生理用ナプキンが折りたたまれているので、包装用個別ラップを開いて装着すれば良い。
【符号の説明】
【０００８】１  生理用ナプキン本体
２  個別ラップ
【図１】
2011152387.tif 000003
【図２】
2011152387.tif 000004
(57)【要約】【課題】本発明は、静電気を応用して生活範囲のゴミや埃を、安全かつ容易に捕集するのを課題とする。【解決手段】本体（１）には、握り手（９）と側板（２）を固着させ、本体（１）が保持するスライド具（１−１）には、ヘラ（１−２）貼着材（１−３）を、」スライド具（１−１）を引き出す凸具（１−４）備え、側板（２）にて軸（５）も保持し、掻き板（８）具備して構成し、円筒具（３）は帯電性の部材とし外輪（４）は絶縁性の部材で、軸（５）に有す、内筒（６）には緩衝具（７）を備え、緩衝具（７）に摩擦具（７−１）を保持させ、円筒具（３）の回転作用で、内筒（６）が有する摩擦具（７−１）が、円筒具（３）表面に静電気を帯電し、床面のゴミや埃を吸着し本体（１）のスライド具の貼着材（１−３）に集積させ、処分する。【選択図】図１
2011152389.tif 000002
【特許請求の範囲】
【請求項１】
本体（１）にスライド具（１−１）を備え、スライド具（１−１）には、ヘラ（１−２）、貼着材（１−３）、凸具（１−４）を有し、本体（１）に側板（２）を有し、側板（２）には円筒具（３）の軸（５）を固着させ、円筒具（３）に、外輪（４）を固着させ、軸（５）の内筒（６）に、緩衝具（７）を具備させて、緩衝具（７）には、摩擦具（７−１）を有し、側板（２）に掻き板（８）を保持させ、本体（１）に握り具（９）を固着させた事を特徴した静電気式掃除機。
【発明の詳細な説明】
【技術分野】
【０００１】電気や電池も使用せず、粘着テープも不要の安全、かつ静粛に使用が出来る掃除機を提供する。
【背景技術】
【０００２】静電気を利用した掃除機は、特開２００６−３１４７４７は、電気掃除機の吸い込み口に装着するノズルのみで、特開２００１−７８９３９、特開２００１−２６９３０１共に、ブラシでのゴミの捕集や、駆動に電動モターを使用し、実開平６−３９１７６も電気器具を使用し、特開平８−３３６４９４では、ハタキが主流での掃除機である。
【発明の開示】
【０００３】上述の欠点を解決する為に、電気も電池などの二次的な動力源を使用せず、ましてゴミの捕集に粘着テープなども使用せず、床面を転動、移動させる作動で、静電気を発生、帯電させその応用で、ゴミを吸着、分離、集積させ、現状の掃除機は乳幼児や、寝たきりの病人等の傍での稼動は、作動時の排気が室内の埃を拡販させ、粘着テープでは、露出したゴミしか貼着せず、粘着したゴミは常に粘着しており、幼児等が触れば、不衛生で有り、収納時にはカバーが必要であり、汚れたらテープの取替えが必要で有り価格も高いのが現状である。
【発明が解決しょうとする課題】
【０００４】電気も電池も利用せず、粘着テープも不要で、安全かつ容易に生活範囲のゴミや埃を集積して、処分させるのを目的とする。
【課題を解決するための手段】
【０００５】以下、本発明の形態について説明する。
（イ）  本体（１）には、握り手（９）と側板（２）を固着させ、スライド具（１−１）を備え、スライド具（１−１）に、ヘラ（１−２）貼着材（１−３）、凸具（１−４）を備え側板（２）にて保持され、軸（５）を保持し、掻き板（８）を有す。
（ロ）  帯電性の部材の、円筒具（３）には絶縁性の外輪（４）を有し、軸（５）には、内筒（６）を具備させ、緩衝具（７）を有して、摩擦具（７−１）を保持させる。
【発明の効果】
【０００６】現在、市販されている静電気式の掃除機はハタキ類しか存在されず、静電気の応用では、複写機などの機械類が市場に利用され、樹脂材が静電気の取出しが容易であるが掃除機には応用はされてなく、本発明は容易に、安全に静電気を発生させて利用しうる掃除機である。
近年は愛玩動物を家屋内での飼育が多く、部屋の中での動作は、抜け毛等が飛散しており、幼児や、高齢者などの家庭では掃除などにも煩雑になるのが現状で、本発明は、子供でも、高齢者でも安易に使用され、電気類の危険性もなく、安全で、作動も静粛であり、静電気利用のハタキ類は、ゴミなどの処分には手で落とすので、不衛生であり、本発明はスライド具（１−１）にゴミは集積しゴミの堆積状況は視界にはなく衛生的であり、円筒具（３）表面の汚れの清掃を定期的に実施すれば永久的に使用が可能である。
【発明を実施するための最良の形態】
【００７】本発明は本体（１）が保持するスライド具（１−１）にてゴミの回収機能を具備させ、内筒具６）緩衝具に保持させた（７）摩擦具（７−１）にて、円筒具（３）内面に静電気を発生させ、円筒具（３）外面に帯電させ、外面でゴミを吸着させる構成であり、絨毯、カーペツト類には掻き板（８）は櫛の形状として、埋没しているペツトの抜け毛などを掻き出して、回収させる。
本発明はシンプルな構成の為に、永久的な使用が可能である。
【実施例】
【００７】本発明の提出図面の説明をする。
〔図１〕  本体（１）に固着されている握り手（９）を手に持ち左右に移動させれば床面に接する外輪（４）は軸（５）を中心に回転し円筒具（３）も回動し、軸（５）と内筒具（６）と緩衝具（７）摩擦具（７−１）は回動せずに、摩擦具（７−１）は円筒具（３）の内面で摩擦し静電気を発生させ、円筒具（３）の外面に静電気は帯電し吸着作用を生じさせる。
円筒具（３）外面に吸着したゴミは回転し本体（１）に具備されているスライド具（１−１）の有するヘラ（１−２）にて円筒具（３）の外面から剥離させ貼着材（１−３）に集積させ集積したゴミはスライド具（１−１）が有する凸具（１−４）を引くとスライド具（１−１）は引き出されて、貼着材（１−３）のゴミを処分する。
側板（２）の有する掻き板は（８）は床面が絨毯、カーペツトなどのゴミや、ペツトの抜け毛が埋没した状態時に握り手（９）を下げて使用すれば容易にゴミは取り出せる。
〔図２〕  軸（５）に固定されている内筒具（６）の有する緩衝材（７）に具備されている摩擦具（７−１）は円筒具（３）の内面に等間隔（Ａ）で配置され空間（Ｂ）を設けることにて円筒具（３）の内面に接触させ緩衝具（７）の反発力で、常に円筒具（３）の内面に接触し安定した静電気の発生が確立され、摩擦も面の接触でなく、点の接触で帯電効果が大きいのが、試作の結果証明され実施した。
〔図３〕  本体（１）の背面図で、掻き板（８）の形状は櫛状とし、絨毯やカーペツトの植毛の間に潜り込むペツトの抜け毛などを掻き出し、絨毯やカーペツトの繊維を傷めず、位置も、床面よりも高くし（Ｃ）畳屋、」フローリングを傷めない構造で、円筒具（３）と外輪（４）の空間を設け、円筒具（３）の吸着を容易に（Ｄ）の位置の詳細である。
【図面の簡単な説明】
【０００８】
【図１】  本発明の側面断面図
【図２】  円筒具の詳細断面図
【図３】  本体背面詳細図
【符号の説明】
【０００９】本体（１）  スライド具（１−１）  ヘラ（１−２）  貼着材（１−３）  凸具（１−４）  側板（２）  円筒具（３）  外輪（４）  軸（５）  内筒（６）  緩衝具（７）  摩擦具（７−１）  掻き板（８）
Ａ  摩擦具の位置  Ｂ  空間  Ｃ  掻き板と床の空間  Ｄ  円筒具と外輪の空間
【図１】
2011152389.tif 000003
【図２】
2011152389.tif 000004
【図３】
2011152389.tif 000005
(57)【要約】      （修正有）【課題】高齢者が腰をかがめないでも靴が履けるようにする。【解決手段】靴１の後部に靴べら３が取り付けられており、靴べら３は倒れにくいように底部の板と一体となった構造となっている。２はクッションである。Ａは靴べらの上部であり、靴を履く際に誤って足で踏みつけた場合痛くないように曲げておくか、あるいはカバーをしておく。また、Ｂは靴べらの下部であり、靴べらの姿勢を維持するために靴底に平行な支持部を設ける。履き心地を良くするために、靴べら底部の上にクッション２を設ける。さらに、デザイン性及び履き心地等を考慮して、靴べら全体を靴の内張の中に収納しても良い。【選択図】図１
2011152395.tif 000002
【特許請求の範囲】
【請求項１】
靴べらを一体として取り付けた靴
【発明の詳細な説明】
【産業上の利用分野】
【０００１】  この発明は、日常使用する靴に関するものである。近年、高齢化社会の到来とともに高齢者が増加してきており、足の不自由な人も増加してきている。こうした状況で、腰をかがめて靴を穿くことが大変な高齢者も多くなってきている。そこで、腰をかがめないでも靴が履けるように靴べら状のものを靴の踵の部分に装備したものである。これにより、足の不自由な高齢者が自分で容易に靴が履けるようになり、積極的に外出することが容易となり、高齢者の社会参加に寄与する。
【背景技術】
【０００２】  従来、靴を穿く場合には靴べらや指等を利用してかかとの部分を靴に挿入するが、高齢者の場合靴べらを持ってかがんで靴を履くこと自体が大変な作業である。何度も失敗している内に、靴の踵は踏みつけられて縮んでしまい、ますます靴が穿きにくくなっているのが現状である。
【発明が解決しようとする課題】
【０００３】  このような状況であるため、できればかがまないで楽に穿けるような靴が強く望まれていた。
【課題を解決するための手段】
【０００４】  いま、その構成を図１により説明すると、
（イ）靴１の後部に靴べら３が取り付けられており、靴べら３は倒れにくいように底部の板と一体となった構造となっている。２はクッションである。
なお、Ａは靴べらの上部であるが、靴を履く際に誤って足で踏みつけた場合痛くないように曲げておくか、あるいはカバーをしておく。また、Ｂは靴べらの下部であるが、靴べらの姿勢を維持するために靴底に平行な支持部を設ける。履き心地を良くするために、靴べら底部の上にクッション２を設ける。
さらに、デザイン性及び履き心地等を考慮して、靴べら全体を靴の内張の中に収納しても良い。
以上のように装置する。
【作用】
【０００５】  次に本発明の作用を述べる。
高齢者が靴を穿く場合には、かがまないで靴に足を入れることにより、かかとに取り付けられた靴べらの作用でそのまま靴が履ける。一方、靴を脱ぐ場合にも靴べらの作用でかがまないでも比較的簡単に脱ぐことができる。
【実験例】
【０００６】  足の不自由な高齢者に試作した靴べら付きの靴を穿いてもらって実験したが、これまで穿くのが大変だったのに比較して、腰をかがめることなく足を靴に押し込むことでスムーズに穿くことができた。また、靴を脱ぐ場合にもかがまないでも脱げて好評であった。
【発明の効果】
【０００７】  これから、未曾有の高齢化社会へと移行していくことになるが、高齢者が容易に穿ける靴は高齢者の積極的な社会活動を支援することに寄与し、社会の活性化及び健全化に大きく寄与するものである。
【図面の簡単な説明】
【図１】    本発明による靴べら付き靴
【符号の説明】    １は靴
２はクッション
３は靴べら
【図１】
2011152395.tif 000003
(57)【要約】【課題】  靴べらの使用時に、装着部の吸着盤より着脱を安易にした、マグネット付き靴べらを提供する。【解決手段】  柄の中央裏面を円形状とし、その平面部に粘着式強力マグネットシートを設けた靴べら本体と、前記靴べら本体の装着部に吸着盤として長方形状のマグネットシートを張り付け、上部には、弾力性アルミの自在開閉軸を設け、金属筒を安易に嵌め込み落下防止することを特徴とするマグネットシート付き靴べら。【選択図】図１
2011152392.tif 000002
【特許請求の範囲】
【請求項１】
柄の中央部分を円形状とし、その裏面に粘着式強力マグネットシートを設けた靴べら本体と、前記靴べら本体の装着部分に長方形状の強力マグネットシートを貼り付け、上部に弾力性アルミの自在開閉支軸を落下防止に設け、金属筒を安易に嵌めこみ、落下防止することを特徴とするマグネットシート付き靴べら。
【発明の詳細な説明】
【技術分野】
【０００１】  本発明は、靴べらの使用時に、装着部の吸着盤より着脱安易にした、マグネットシート付き靴べらに関するものである。
【背景技術】
【０００２】  従来は、出勤の忙しい時間において、靴べらの紐が重なり合っている際、輪の中に指を入れ、開いたりして、手間をかけながら装着していた。
また、靴べらの掛け部を折り曲げたり、穴を開けたりした物が多く陳列されている。
【発明の開示】
【発明が解決しようとする課題】
【０００３】  そのために、次のような問題点があった。
（イ）以上に述べた従来の靴べら装着には、もどかしさがあり、狭い玄関内における時間の手間が要因となり、苛立つ気持ちを誰しもが経験済みであった。
（ロ）靴べらを掛ける為に、側面や柱にＬ字形状の突起器具が利用され、ボルトによる設置に傷つけられている。【０００４】  本発明は、このような従来の構成が有していた問題を解決しようとするものであり、マグネットシートを装着部に貼り付けた箇所に、靴べら本体を効果的に定着し、安易な方法により用いられるマグネットシート付き靴べらを実現することを目的とするものである。
【課題を解決するための手段】
【０００５】  そして、本発明は上記目的を達成するために柄の中央裏面部分を円形状とし、その平面部に粘着式強力マグネットシートを設けた靴べら本体と、前記靴べら本体の装着する吸着盤に同じくマグネットシートを貼り付け、上部に弾力性アルミの開閉自在とした支軸を設け、金属筒を嵌め込み落下防止することを特徴とするマグネットシート付き靴べらである。
【発明の効果】
【０００６】  本発明は、靴べらの柄に設けた強力マグネットシート、並びに壁面に貼り付けた強力マグネット両面が付着合体する。したがって、靴べらを着脱するのに、マグネットの吸着抵抗皆無に等しく、輪紐を掛けるのに手を煩わすことなく、自在に定着効果を発揮する靴べらを提供できる。
【図面の簡単な説明】
【０００７】
【図１】本発明の斜視図
【図２】本発明の実施形態を示すマグネット付き靴べらの部分斜視図
【発明を実施するための形態】
【０００８】  以下、本発明の実施形態を図１〜図２に基いて説明する。
（イ）プラスチック合成樹脂により、形づくるとされた靴べら柄の中央部に連携する円形状に強力マグネットシート（４）が粘着されている。
（ロ）また、長方形からなるマグネットシート上部に、アルミ支軸（７）が設けられている。
（ハ）上記支軸（７）には、取って（２）の下部に連携された金属筒（３）が固定されるようになっている。
本発明は、以上の構成よりなっている。
本発明を使用するときは、靴べら本体の柄を垂直に保ちながら、柄の中央部にある円形体に貼り付けた強力マグネットシート（４）を吸着盤（６）の強力マグネットシートに近寄せることにより、自在に吸引定着せしめるようにし、また、靴べら本体に触れることにより落下する恐れがあり、開閉に弾力性があるアルミ支軸（７）に金属筒を嵌めることにより落下防止の効果を発揮するものである。
【符号の説明】
【０００９】  １．靴べら本体
２．取っ手
３．金属筒
４．マグネットシート
５．粘着部
６．吸着盤
７．アルミ支軸
【図１】
2011152392.tif 000003
【図２】
2011152392.tif 000004
(57)【要約】      （修正有）【課題】少しの水で入浴が可能な浴槽の提供。【解決手段】浴槽内側の前後にＶ字状の傾斜面を形成し、初期水位で人体が入浴すると入浴時水位になるようにした浴槽構造。【選択図】図１
2011152391.tif 000002
【特許請求の範囲】
【請求項１】
第１図に表した物とする。
【請求項２】
第２図に表した物とする
【発明の詳細な説明】
【０００１】本発明は今までの大量の水が必要でした風呂が少量に出来たことです。
【０００２】高齢者の入欲に最高です。
【図面の簡単な説明】
【図１】第１図の側面下から断熱材  人体  初期水位  入浴時の水位  お表した物です
【図２】第２図の丸印は排水口  着色部は貯まり水  青い太線で排水します
【図１】
2011152391.tif 000003
【図２】
2011152391.tif 000004
(57)【要約】【課題】  本発明は、わずかに伸縮性のある素材のベルトで、腰骨を体の正面下方方向にひっぱり脚に固定するために、ベルト両端にマジックテープ（登録商標）やトライグライトなどを装着したことを特徴とする腰椎矯正ベルトを提供する。【解決手段】  幅約７ｃｍ、長さ約２ｍ６０ｃｍ〜３ｍのわずかに伸縮性のあるゴムや生地などの素材でできたベルト本体の両端に、マジックテープ（登録商標）のフック部（２）を約１７ｃｍ貼り付け、フック部（２）から約１０ｃｍ離れた場所にループ部（３）を約３５ｃｍ貼り付けたことを特徴とする腰椎矯正ベルト。【選択図】図１
2011152394.tif 000002
【特許請求の範囲】
【請求項１】
幅約７ｃｍ、長さ約２ｍ６０ｃｍ〜３ｍのわずかに伸縮性のあるゴムや生地などの素材でできたベルト本体の両端に、マジックテープ（登録商標）のフック部（２）を約１７ｃｍ貼り付け、前記フック部（２）から約１０ｃｍ離れた場所にループ部（３）を約３５ｃｍ貼り付けたことを特徴とした腰椎矯正ベルト。
【請求項２】
幅約７ｃｍ、長さ約２ｍ６０ｃｍ〜３ｍのわずかに伸縮性のあるゴムや生地などの素材でできたベルト本体の両端を約２５ｃｍ折り返し、トライグライト（４）を設けたことを特徴とする腰椎矯正ベルト。
【発明の詳細な説明】
【技術分野】
【０００１】  本発明は、わずかに伸縮性のある素材のベルトで、腰骨を体の正面下方方向にひっぱり脚に固定するために、ベルト両端にマジックテープ（登録商標）やトライグライトなどを装着したことを特徴とする腰椎矯正ベルトに関することである。
【背景技術】
【０００２】  従来、腰痛ベルトとは、腰痛予防のためや腰痛をそれ以上悪化させないようにするためのものであった。
【発明の概要】
【発明が解決しようとする課題】
【０００３】  従来の腰痛ベルトは、症状を悪化させないようにするために腰椎を固定するだけで、正しい方向に矯正するものはなかった。
本発明は、この課題を解消するためになされたものである。
【課題を解決するための手段】
【０００４】（イ）幅約７ｃｍ、長さ約２ｍ６０ｃｍ〜３ｍのわずかに伸縮性のあるゴムや生地などの    素材でできたベルト本体の両端に、マジックテープ（登録商標）のフック部（２）を    約１７ｃｍ貼り付ける。
（ロ）フック部（２）から約１０ｃｍ離れた場所にループ部（３）を約３５ｃｍ貼り付け    る。
以上のように構成された腰椎矯正ベルトである。
あるいは、幅約７ｃｍ、長さ約２ｍ６０ｃｍ〜３ｍのわずかに伸縮性のあるゴムや生地などの素材でできたベルト本体の両端を約２５ｃｍ輪状に折り返し、トライグライト（４）を設けたことを特徴とする腰椎矯正ベルトである。
【発明の効果】
【０００５】  このベルトを数１０分〜数時間装着すれば、腰椎が正しい方向に矯正され腰痛が軽減できる。また、ゴルフなどのスポーツで使用すれば、正しい姿勢が保持され腰痛防止になる。
【図面の簡単な説明】
【０００６】
【図１】  本発明の斜視図である。
【図２】  本発明の一部を断面にした説明図である。
【図３】  本発明の使用状態を示した正面図である。
【図４】  本発明の使用状態を示した背面図である。
【図５】  本発明の一部を拡大して説明した斜視図である。
【図６】  本発明の使用状態を示した正面図である。
【発明を実施するための形態】
【０００７】以下、本発明の実施の形態について説明する。
（イ）幅約７ｃｍ、長さ約２ｍ６０ｃｍ〜３ｍのわずかに伸縮性のあるゴムや生地などの    素材でできたベルト本体の両端に、マジックテープ（登録商標）のフック部（２）を    約１７ｃｍ貼り付ける。
（ロ）フック部（２）から約１０ｃｍ離れた場所にループ部（３）を約３５ｃｍ貼り付け    る。
以上のように構成された腰椎矯正ベルトである。
あるいは、幅約７ｃｍ、長さ約２ｍ６０ｃｍ〜３ｍのわずかに伸縮性のあるゴムや生地などの素材でできたベルト本体の両端を約２５ｃｍ輪状に折り返し、トライグライト（４）を設けたことを特徴とする腰椎矯正ベルトである。
本発明は以上のような構成である。
これを使用するときは、椅子などに座った状態でベルト本体の中央部（１）を腰にあて、ベルトの両端を体の前にもってくる。
ベルトの両端を両太ももの内側から後ろにまわし、両膝裏から前にもってくる。
ベルトの両端を両脚内側のベルト本体内側から通してひっぱりながら折り返し、両膝下の脛部分のマジックテープ（登録商標）のループ部（３）にフック部（２）を固定して、ゆっくりと立ち上がる。
他の実施例の使い方を説明する。
椅子などに座った状態でベルト本体の中央部（１）を腰にあて、ベルトの両端を体の前にもってくる。
ベルトの両端を両太ももの内側から後ろにまわし、両膝裏から前にもってくる。
ひっぱりながら輪状部（５）を両足裏に引っ掛けて、ゆっくりと立ち上がる。
【符号の説明】
【０００８】    １  ベルト中央部
２  マジックテープ（登録商標）のフック部
３  マジックテープ（登録商標）のループ部
４  トライグライト
５  ベルト輪状部
【図１】
2011152394.tif 000003
【図２】
2011152394.tif 000004
【図３】
2011152394.tif 000005
【図４】
2011152394.tif 000006
【図５】
2011152394.tif 000007
【図６】
2011152394.tif 000008
(57)【要約】【課題】  ロールペーパーホルダーの、ペーパー切断時に必要なロールペーパーの回動を制止する、ロールペーパーホルダーの切断時の制動機構に関するものである。【解決手段】  本体側板またはそれと一体の部分に固定して設けた受圧棒の外側に引き出したペーパーを、本体側板で中間を回動可能に軸支し、一端を押圧部他端を切断刃とした切断板のペーパー切断操作時に起きる回動で押圧部が押圧し、ペーパーの動きを制止する。【選択図】図１
2011152393.tif 000002
【特許請求の範囲】
【請求項１】
両側の本体側板に付設の軸支手段等でロールペーパーを保持するロールペーパーホルダーに於いて、装着状態の満巻ロールペーパーと間隙をとる位置で、該ロールペーパー軸支中心線と平行な受圧棒を、両側の本体側板またはそれと一体の部分に固着し支持させ、また一端を押圧部、他端を切断刃、その中間で押圧部寄りの位置に回動軸線の三部分を平行に設定した切断板を、前記受圧棒の外側で該部に押圧部が係合し当接できる位置に、前記回動軸線による回動手段で本体側板に軸支させたことを特長とするロールペーパーホルダーの切断時の制動機構。
【請求項２】
受圧棒を本体側板に直接固着せず、受圧棒の両側端部に付着した支持腕を介し、該支持腕の端部を、受圧棒の設定位置より本体背板側で、該受圧棒と平行な軸線で両側の本体側板に各々回動可能に軸支させ、通常は受圧棒が切断板の押圧部に近い側に支持腕を回動するが、両側の本体側板に設けた受止部が、受圧棒の設定位置を超えた切断刃方向への回動を制止してその状態を保持するように構成した、請求項１記載のロールペーパーホルダーの切断時の制動機構。
【発明の詳細な説明】
【技術分野】
【０００１】  本発明は、ロールペーパーホルダーのペーパー切断時に必要なロールペーパーの回動を制止する、ロールペーパーホルダーの切断時の制動機構に関するものである。
【背景技術】
【０００２】  元来の単純な開閉式上部カバーを片手で押さえて、他の手で掴んだ紙端を引っ張る方法に対し、片手で扱える手段として、回動可能な切断板の切断刃によるロールペーパー切断時の動きを利用し、ロールペーパーの回動を制止する方法が種々発明されている。（特許文献１、特許文献２参照。）
【先行技術文献】
【特許文献】
【０００３】
【特許文献１】特開２００８−２００４９７号公報
【特許文献２】特開２００７−３３０７２８号公報
【発明の概要】
【発明が解決しようとする課題】
【０００４】  特許文献１の発明は、中間支持の切断板の押圧側で直接ロールペーパーを制止する構造であるが、ロールペーパーの外径の減少によりペーパー切断時の切断板の動きが大きくなり、切断刃の位置と方向も変化し、その欠点を抑えるために切断板の支持部と押圧部の距離を長くすると器具全体が大型になる欠点がある。
特許文献２の発明は、一端が前項と同じく直接ロールペーパーを押圧する湾曲した切断板の中間を、本体背板に軸支された上部カバーの他方に回動自在に結合した構造で、ロールペーパーの外径の変動に伴って、切断刃の位置と方向が更に激しく変動すると考えられる。
【課題を解決するための手段】
【０００５】  本発明はロールペーパーの回動を直接押圧して制止する方法をとらず、本体側板またはそれと一体の部分に固定して設けた受圧棒の外側に引き出したペーパーを、本体側板で中間を回動可能に軸支し一端を押圧部、他端を切断刃とした切断板のペーパー切断操作時に起きる回動で押圧部が押圧し、ペーパーの動きを制止する。
【発明の効果】
【０００６】  ペーパー切断時の制動作用が確実で、片手で操作できる。  ロールペーパーの外径に関係なく切断刃の位置と向きが同じ状態で使用できる。
構造が簡単で、ロールペーパー装着時のペーパー始端部の引出し処理も容易である。
【図面の簡単な説明】
【０００７】
【図１】本発明請求項１記載の実施形態の部分断面側面図
【図２】本発明請求項２記載の実施形態の部分断面側面図
【発明を実施するための形態】
【０００８】  請求項１記載の実施形態を図１により説明する。
ホルダーに装着した満巻ロールペーパーと間隙を持つ前上部位置に受圧棒（４）を左右の本体側板（２）に固着して設け、また同じく両側の本体側板（２）に支軸Ａ（６）で回動自在に軸支される切断板（５）は、側面視では前記支軸Ａ（６）を中間支点とする梃子を形成し、下端の切断刃（８）は力点、上端の押圧部（７）は作用点とみなすことができる。
ホルダーにロールペーパーを装着後ペーパー始端部は受圧棒（４）の外側を回して、押圧部（７）との隙を通し切断刃（８）の下部付近に引き出す。  使用過程で、ペーパー切断時はペーパーを掴んだ手をホルダーの前上向きに引っ張るが、その中の前方に引張る力が力点である切断刃（８）を動かして切断板（５）が回動し、即ち梃子が作動し作用点である押圧部（７）が受圧棒（４）の側に動きペーパーを挟んで押圧し、ペーパーを制動する。
切断板（５）は、ペーパー切断時に切断刃（８）に掛ける力が適度の倍力となって押圧部（７）の押圧作用となるように、切断刃（８）と支軸Ａ（６）、支軸Ａ（６）と押圧部（７）の各寸法の比率を、また自由状態時は押圧部（７）が受圧棒（４）と適度の間隙を保つように、本体側板（２）側の支軸Ａ（６）の支持位置と共に設定する。
【０００９】  次に請求項２記載の実施形態を図２により説明する。
受圧棒（４）の両端部に付着した支持腕（９）の端部を、両側の本体側板（２）が受圧棒（４）設定位置の後部で各々支軸Ｂ（１０）により回動可能に軸支し、通常は受圧棒（４）を前側の設定位置に回し、両本体側板（２）に設けた受止部（１１）がペーパーによる下向きの力も受止めて受圧棒（４）をその位置に保持する。  またロールペーパー始端部処理時は受圧棒（４）を上方へ回すことにより押圧部（７）との間隙を拡げて、容易にペーパー始端部を下方に挿通することができる。
上部カバー（１２）は内部の汚損防止と器具の美観のためで、回動して上向きに起せばロールペーパー装着なども容易におこなえる。
【符号の説明】
【００１０】    １    本体背板
２    本体側板
３    本体前板
４    受圧棒
５    切断板
６    支軸Ａ
７    押圧部
８    切断刃
９    支持腕
１０  支軸Ｂ
１１  受止部
１２  上部カバー
１３  支軸Ｃ
【図１】
2011152393.tif 000003
【図２】
2011152393.tif 000004
(57)【要約】      （修正有）【課題】高齢者や、血圧の高い人は入浴時の危険度が高いが、入浴するには、浴槽に肩まで浸かるだけの多量の温水が必要で、それが入浴者の体に水圧によるダメージを与えていた。【解決手段】浴槽２の中に温水配管して、入浴中の人の体に目がけて温水を噴出する側面のシャワーノズル１を、配置した浴槽２を備えるか、あるいは、浴槽２の、上に置いて入浴者の外側を、一周するパイプリングの内側に温水の噴出穴のある、シャワーを備えることにより、水圧による入浴者の心臓への負担を軽減する。【選択図】図１
2011152397.tif 000002
【特許請求の範囲】
【請求項１】
浴槽の中に温水配管して、入浴中の人の体に目がけて温水シャワーが、側面から噴出する穴を、配置した浴槽。
【請求項２】
浴槽の、上に置いて入浴者の外側を、一周するパイプリングの内側に温水の噴出穴のある、シャワー
【発明の詳細な説明】
【技術分野】
【０００１】入浴時の体の負担になる水圧を減らす浴槽の技術に関する。
【背景技術】
【０００２】高齢者や、血圧の高い人は入浴時の危険度が高い。
【発明の開示】
【発明が解決しようとする課題】
【０００３】浴槽に温水を張るには、水を溜めて温度が上がるまで時間と燃料を浪費します。
その上肩までの水圧が、心臓に負担をかけます。
【発明の効果】
【０００４】  温水の無い浴槽でも入浴者は、肩から全身に浴槽の縁から温水シャワーが噴出してお湯が無くても体が温まる、なので少ないお湯で済み水圧はかからない。
【発明を実施するための最良の形態】
【０００５】  浴槽の縁に温水パイプを配管して、浴槽内に向けて温水が飛び出す小さい穴を開ける。
【図面の簡単な説明】
【０００６】
【図１】は、浴槽内に温水が噴出している状態
【図２】は、浴槽の上にリング状のシャワーを表わす。
【産業上の利用可能性】
【０００７】  浴槽内に噴出した温水は排水せずに溜めて通常の風呂としても良いがポンプで再度加圧して、縁のノズルから噴出させても良い。【０００８】  水位は、最適に調整して半身浴にしても良い。
【符号の説明】
【０００９】１    側面のシャワーノズル
２    浴槽
３    噴出した温水
４    リングシャワーノズル
【図１】
2011152397.tif 000003
【図２】
2011152397.tif 000004
(57)【要約】      （修正有）【課題】回して締める容器のフタに、使用出来るキャップであり、特に開けづらいペットボトルや化粧品のフタ、歯磨きチューブ、醤油のフタ等々、ありとあらゆるフタが簡単に開ける事が出来るようにする。【解決手段】キャップ内側とボトルの首の部分の外側に凸を付け、キャップとボトルを噛合わせる。ペットボトルのキャップの内側とペットボトルの外側に、お互いに噛合うように、３ヶ所に凸のフックを付けたペットボトルで、３分の１回転で簡単にキャップが開く。【選択図】図１
2011152956.tif 000002
【特許請求の範囲】
【請求項１】
あらゆるキャップと本体（ビン、ペットボトル等々）にキャップの内側、ビン、ペットボトルのキャップ、しようとする外側に、キャップを止める凸ばりを付けるのである。
【請求項２】
キャップと本体（ビン、ペットボトル）３ヶ所にフックとなる凸を付けるのである。
【発明の詳細な説明】
【技術分野】
【０００１】  従来のペットボトルは、非力な老人や女性には開けずらく、従来の回すキャップは溝の分だけ回さないと開かなかったが、この革命キャップは３分の１回転させるだけで軽く開ける事が出来るのである。
【背景技術】
【０００２】  従来のペットボトルには細い縦溝が付けてあるが、手がぬれていると手がすべって開けられない、叉太線の縦溝が付けてあるが、手のひらに喰いこんで痛いので開けずらい。
【発明の開示】
【発明が解決しようとする課題】
【０００３】  開けずらいペットボトルのキャップの内側とペットボトルの外側に、お互いに噛合うように、３ヶ所に凸のフックを付けたペットボトルで、３分の１回転で簡単にキャップが開くのである。
【課題を解決するための手段】
【０００４】  あらゆるキャップ、特に回して開けるキャップ、ペットボトル、ビンのフタ、化粧品のフタ、歯磨き粉のチューブのフタ等々にキャップの内側、ペットボトルのフタが締る首の部分に凸フックを３ヶ所に付けるだけで３分の１回で開ける事のできる、画期的な革命キャップである。
【発明の効果】
【０００５】  ペットボトルのキャップを、３分の１回転するだけで開けたり閉めたり、それも従来の何回も回して開けるペットボトルよりは非力な老人、女性でも簡単に開ける事が出来るのである。
【発明を実施するための最良の形態】
【０００６】  この革命キャップを世界基準にするべく、あらゆるペットボトルや、キャップのメーカ等に協力し世界基準にする事である。
【実施例】
【０００７】  机上の計算で発明である。キャップ内側とボトルの首の部分の外側に凸を付け、キャップとボトルが噛合うという画期的でキャップの革命である。
【産業上の利用可能性】
【０００８】  各飲料メーカが、いかに開け易いキャップを開発する事で売上が伸びるか、産業界に利用される事は明白であり、世界基準になりうるのである。
【図面の簡単な説明】
【０００９】
【図１】  Ａ−正面の断面図  Ｂ−仕掛けの拡大図
【符号の説明】（ア）  キャップ（フタ）
（イ）  凸のフック
（ウ）  ボトル、ビン
【図１】
2011152956.tif 000003
(57)【要約】【課題】ペットボトルの飲料水を飲む時ペットボトルのキャップの口から飲むのがほとんどであるが、そのまま飲むには口が大きく飲みにくい、子供には無理であり、ペットボトルを横にして飲まなければならず、飲んでいる形はよくない、特に公共の場所や女性には恥ずかしい姿である、又ペットボトルの飲料水は鞄などに入れ持ち運び数回に分けて飲むのが普通であり、どのような場所で飲んでも他の人に不快感を与えないようにする、ジュースなどは大きな飲み口から一気に飲むとあまり美味しさを感じない。【解決手段】この発明は、ペットボトルにストローの飲み口を安価で簡単に装置することで飲料水を飲みやすくし、子供にも安心して与えることが出来、公共の場所で恥ずかしくない姿で飲むことが出来、女性にも飲みやすい状態であり、動きながらでも飲みやすく問題を解決する、又、ストローでジュース類を飲むと数倍に美味しさが感じられる特典がある、又、飲料水を飲む時必要でない場合は簡単に取り外しができる。【選択図】図１
2011152955.tif 000002
【特許請求の範囲】
【請求項１】
ペットボトルの清涼飲料水、水、お茶、コーヒー、紅茶、等を飲むとき、飲み口が大きく通常飲む時や特に子供たちが飲む時、安心して飲めるようにペットボトルのキャップを開けると同時にストローの飲み口が出て飲みやすくするペットボトルストロー飲み口。
【請求項２】
清涼飲料水のペットボトルの中にストローを付設し、飲むときにペットボトルを斜めにしなくても飲料水を飲むことができ、人が歩行しながらでも飲める、適量分飲んだあとキャップで蓋をすることが出来る。
【発明の詳細な説明】
【技術分野】
【０００１】この発明は、ペットボトルの飲料水を飲むとき飲み口が大きく、ペットボトルに２段式ストローを付設し飲みやすい状態にする、ペットボトルのキャップを開けるとストローが自動的に出るようにスプリング機能を設置しストローに曲がり機能を一部に付設し９０度に曲げられ、ストローより飲めるようにする。
【背景技術】
【０００２】これまで、飲料水ペットボトルは飲み口のキャップを開けそのままの状態で飲む状態であり、大きな口からペットボトルを斜めにして飲む状態であった、この状態では子供は飲みにくい、特に女性には飲む時の姿にムードや体裁が悪く飲みづらい状態であり、最近はカバンの中に入れて持ち歩き必要な時に応じて何処でものむ傾向が見られストロー飲み口が必要である。
【先行技術文献】
【特許文献】
【０００３】
【特許文献１】実開平１０−４７６３
【発明の概要】
【発明が解決しようとする課題】
【０００４】従来のペットボトルは全て直径２０ミリ前後の単純な円形状である
イ  子供には飲みにくい。
ロ  女性には人前で飲みにくい。
ハ  ペットボトルを横にしなければ飲めない。
ニ  大口で飲む味のある飲み物は大味な感じがする。
ホ  商品の性質上飲み口の工夫が必要。
ヘ  動きながら飲めない。
実開平文献１、はペットボトルキャップにストローをどのように取り付けるか不明でありさまざまなペットボトルの口の口径に合わすのは不可である、
本発明はこれらの課題を解決するために発明されたものである。
【課題を解決するための手段】
【０００５】様々な形状のペットボトルの中に簡単にストローを付設し、ペットボトル飲み口の部分図１の１キャップを開けると図３−６のスプリングで２段式のストローが自動的に飛び出し、２段目のストローを伸ばし屈折可能な図６機能を一部分に付設しストローの一部に曲げ機能とし自在にする、既存の清涼飲料水のペットボトルにストロー自動収縮機能を付設し、飲みやすく便利な機能を安価なものを取り付けてこれまでの単純な飲み口を発明し取り付けることで、これまでの飲みにくい飲み口を改良する、尚、不要の場合は簡単に取り外し可能なものである、
【発明の効果】
【０００６】清涼飲料水の既存ペットボトルに収縮自在のストローを中に入れ、ストローで飲めるようにすることで、子供もこぼさずに飲みやすく、女性も何処でも飲め、行動しながら水分補給が出来る、又ジュース類は美味しく感じ、売上がアップする。
【図面の簡単な説明】
【０００７】
【図１】本発明の飲料水ペットボトル飲み口に装着したストローの飲み口状態を示す断面図である。
【図２】飲料水ペットボトル飲み口にストロー装着用の部品斜視図である。
【図３】飲料水ペットボトルに装着するストローとキャップ図３−１を開けると同時にストローが出るスプリング装置断面図である。
【図４】清涼飲料水ペットボトルに付設されるキャップを開けるとストロー固定部とストローが出る破線の斜視図である。
【図５】ペットボトルにストロー飲み口固定部とストローが伸びた斜視図である。
【図６】ストローが伸びた一部に曲り機能を付設しストローを曲げた斜視図である。
【図７】ペットボトルにストロー飲み口を付設し曲げた状態のペットボトルの全体断面図である。
【発明を実施するための形態】
【０００８】以下、本発明の実施の形態について、図面を参照して説明する。
図１は本発明の従来のペットボトルにストロー飲み口の部材を装着し飲む状態の全体の斜視図で形状を示している。
【０００９】本発明はストロー飲み口装置を取り付ける枠の部品の形状図、図２で示している。
【００１０】本発明の図３はストローがペットボトルのキャップを取ると同時に中のストローが飛び出る装置のストローとスプリングの形状斜視図を示している。
【符号の説明】
【００１１】１    ペットボトル口の蓋。
２    ペットボトルに付設する収縮ストロー。
３    ペットボトル内に付設する内側の固定ストロー。
４    ペットボトルキャップ口にストロー付設固定する部分。
５    収縮ストローのカバー。
６    ２段式収縮自在ストローの外側ストローを伸ばす樹脂材のスプリング。
７    収縮ストローの一部に自在曲がり機能部。
８    既存ペットボトル。
【図１】
2011152955.tif 000003
【図２】
2011152955.tif 000004
【図３】
2011152955.tif 000005
【図４】
2011152955.tif 000006
【図５】
2011152955.tif 000007
【図６】
2011152955.tif 000008
【図７】
2011152955.tif 000009